(57)【要約】  【課題】家具の扉に装着するものであって、特に洗面所における棚の扉に装着して、使用者が鏡を見易くすることができ、しかも部品点数を最少限に抑えることができる家具用鏡器とすること。【解決手段】  アームベース１と、該アームベース１に枢支連結されたアーム２と、鏡が装着されたホルダ３と、前記アーム２の先端と前記ホルダ３とを連結する連結機構部Ａとからなり、該連結機構部Ａは球体部４１と首部４２とからなるジョイント部４と、前記球体部４１が収納されると球体収納部５３と，該球体収納部５３に連通する球体導入部５４と，前記首部４２が水平方向に移動自在に遊挿されるスリット部５１とが形成されたジョイント受部５と、前記球体収納部５３に前記球体部４１を支持する螺子部材６とからなること。前記ジョイント部４は前記アーム２と前記ホルダ３のいずれか一方に形成され、前記ジョイント受部５は他方に形成されること。【選択図】図１
2009273811.tif 000002
【特許請求の範囲】
【請求項１】
アームベースと、該アームベースに枢支連結されたアームと、鏡が装着されたホルダと、前記アームの先端と前記ホルダとを連結する連結機構部とからなり、該連結機構部は球体部と首部とからなるジョイント部と、前記球体部が収納されると球体収納部と，該球体収納部に連通する球体導入部と，前記首部が水平方向に移動自在に遊挿されるスリット部とが形成されたジョイント受部と、前記球体収納部に前記球体部を支持する螺子部材とからなり、前記ジョイント部は前記アームと前記ホルダのいずれか一方に形成され、前記ジョイント受部は他方に形成されてなることを特徴とする家具用鏡器。
【請求項２】
請求項１において、前記ジョイント部は鋼材製とし、前記ジョイント受部はアルミニウム材とし、前記球体と前記球体収納部との間には球体受部材が配置されてなることを特徴とする家具用鏡器。
【請求項３】
請求項２において、前記球体受部材は、前記螺子部材との間に配置されてなることを特徴とする家具用鏡器。
【請求項４】
請求項２又は３において、前記球体受け部材は合成樹脂材としてなることを特徴とする家具用鏡器。
【発明の詳細な説明】
【技術分野】
【０００１】
本発明は、家具の扉に装着するものであって、特に洗面所における棚の扉に装着して、使用者が鏡を見易くすることができ、しかも部品点数を最少限に抑えることができる家具用鏡器に関する。
【背景技術】
【０００２】
従来、洗面化粧台の家具における収納棚の扉表面側には鏡があり、扉を開くことで三面鏡の様にして使用することができる洗面化粧台が一般的である。この鏡は，洗面シンクをまたいで位置しているので，細かな化粧などには、体をシンク上にのりだして鏡を見ることになり、小柄な女性や老人には使いづらいと考えられる。これに対し，手鏡は自分の手で持つので，細かな化粧も手元でできるが、反面，鏡を持つ片手がふさがってしまうため、個人の自由度が制限されるという欠点がある。
【０００３】
また、この手鏡は使用する際には取り出して，使用後に片付けるといったことが必要である。これに対し通常は、収納棚の扉裏面に固定されており、扉を開けた状態から，さらに手前に出てくるような小鏡（回転ミラー）が開発されている。この種のものとして具体的には、アームベースとアームからなる第1 回転軸と，アームと球軸からなる第2 回転軸を有する構造である。球軸とミラーホルダは一体であり，ミラーホルダの片面を平面鏡，片面を拡大鏡としている。
【０００４】
扉を開けた状態で，第1 回転軸，第2 回転軸を回転させると，鏡はトビラの手前に出てくる。この突出量はトビラの幅にもよるが，トビラが大きい場合は，洗面シンクの端まで鏡が手前側に出てくる。第2 回転軸は先端が球状であるため，鏡を傾けることができるので，身長差があっても鏡を顔の真正面に位置することができる。第2 回転軸での回転により，用途に応じて平面鏡もしくは拡大鏡を，表側の鏡として使えることができる。
【特許文献１】特開２００２−４８０
【特許文献２】実開平３−３９４３７号
【発明の開示】
【発明が解決しようとする課題】
【０００５】
上記特許文献１及び２に開示されたものは、屈伸の自由度が高く鏡の位置調整を種々の位置に設定することができるものであるが、部品点数が多くなり、製造工程が増加し高価格となる。また、鏡の位置の調整における自由度が高いと、使用者にはかえって調整箇所が多くなり、調整に手間がかかり、面倒である。また長期に亘って使用することにより、よりアームの連結箇所に緩みが生じて、鏡の重量によって、位置が自然に下がってしまうようなこともあり、またこのようになってしまうと、一般の人には修理ができないものとなってしまうおそれもある。
【課題を解決するための手段】
【０００６】
そこで、発明者は、上記課題を解決するために、鋭意、研究を重ねた結果、請求項１の発明を、アームベースと、該アームベースに枢支連結されたアームと、鏡が装着されたホルダと、前記アームの先端と前記ホルダとを連結する連結機構部とからなり、該連結機構部は球体部と首部とからなるジョイント部と、前記球体部が収納されると球体収納部と，該球体収納部に連通する球体導入部と，前記首部が水平方向に移動自在に遊挿されるスリット部とが形成されたジョイント受部と、前記球体収納部に前記球体部を支持する螺子部材とからなり、前記ジョイント部は前記アームと前記ホルダのいずれか一方に形成され、前記ジョイント受部は他方に形成されてなる家具用鏡器としたことにより、上記課題を解決した。
【０００７】
請求項２の発明を、前述の構成において、前記ジョイント部は鋼材製とし、前記ジョイント受部はアルミニウム材とし、前記球体と前記球体収納部との間には球体受部材が配置されてなる家具用鏡器としたことにより、上記課題を解決した。請求項３の発明を、前述の構成において、前記球体受部材は、前記螺子部材との間に配置されてなる家具用鏡器としたことにより、上記課題を解決した。請求項４の発明を、前述の構成において、前記球体受け部材は合成樹脂材としてなる家具用鏡器としたことにより上記課題を解決した。
【発明の効果】
【０００８】
請求項１の発明では、部品点数を最小限にすることができ、位置調整における動作が確実であり、ガタつきが極めて発生しにくいものである。さらに、ホルダの位置調整を極めて容易に行うことができ、扱いやすいものにできる。さらに、前記連結機構部のジョイント受部は、幅方向に亘ってスリット部が形成され、該スリット部の幅方向略中央箇所に、前記ジョイント部の球体部が設置される球面支持部が形成され、該球面支持部の上方には螺子部材が装着され、前記ジョイント部の球体部は押圧力を有して回動自在に支持されたことにより、最も簡単な構造とすることができ、連結機構部における固定圧力を適宜に設定することができる。
【０００９】
請求項２の発明では、前記ジョイント部は鋼材製とし、前記ジョイント受部はアルミニウム材とし、前記球体と前記球体収納部との間には球体受部材が配置されてなる家具用鏡器としたことにより、それぞれに硬さの異なる金属を使用した場合に、相互に擦れ合って特に軟質なアルミニウム材側の部位がすり減ることを防止できるものである。請求項３の発明では、前記球体受部材は、前記螺子部材との間に配置されたことにより、球体部と螺子部材との直接の擦れ合いを防止することができる。請求項４の発明では、前記スペース部材は合成樹脂としたことにより、屈伸動作を極めて円滑に行うことができる。固定押圧力に弾性を有するものにでき、固定押圧力を常時一定に維持することができ、長期に亘って安定した動作を確保することができる。
【発明を実施するための最良の形態】
【００１０】
以下、本発明の実施形態を図面に基づいて説明する。本発明の第１実施形態は、主に図１，図２（Ａ）に示すように、アームベース１と、該アームベース１に枢支連結されたアーム２と、鏡が装着されたホルダ３と、前記アーム２の先端と前記ホルダ３とを連結する連結機構部Ａとから構成される。前記アームベース１は、家具８の扉に装着するものであって、ベース基部１１とアーム支持片１２とから構成されている。前記ベース基部１１は、略長方形等の平板形状に形成されている。さらに前記アーム支持片１２は、２個具備されており、所定の間隔をおいて平行に配置されている。両アーム支持片１２，１２は、後述するアーム２を水平面上に揺動自在に支持する役目をなす。前記ベース基部１１には、取付孔１１ａが形成され、ビス等の固着具にて扉に固着される。
【００１１】
アーム２は、図４に示すように、略角軸として形成されたもので、略棒状の直方体として形成されたものである。その長手方向の一端は、前記アームベース１に連結される部位であって、平面より見て略半円形状に形成されている。前記アームベース１のアーム支持片１２，１２に枢支軸によって揺動自在に支持される。アーム２は、水平面上を揺動するものであり、長手方向一端における揺動中心となる部位を揺動中心部２１と称する。該揺動中心部２１には、枢支孔２１ａが形成されている。また、長手方向の他端を揺動自由端部２２と称する。前記アーム２は、直方体状に形成されたものであり、上面２ａ，側面２ｂ，下面２ｃが存在する。また前記アーム２の長手方向の揺動中心部２１の端部側面を後面２ｄと、揺動自由端部２２側の側面を前面２ｅと称する。
【００１２】
前記ホルダ３は、フレーム部３１に連結用突起部３２が形成されている。前記フレーム部３１は、正方形，長方形又は円形状に形成されており、その表面に鏡板３３が装着されている。フレーム部３１の一方の面には、平面鏡３３ａが装着され、他方の面には凹面に形成された拡大鏡３３ｂが装着される〔図１０（Ａ）参照〕。或いは、一方の面にのみ平面鏡３３ａが装着されることもある。前記連結用突起部３２は、直方体状に形成されたものであり、後述する連結機構部を構成する部材が装着される。
【００１３】
連結機構部Ａは、図４乃至図６に示すように、前記アーム２の揺動自由端部２２と前記ホルダ３とを連結する役目をなすものである。前記連結機構部Ａは、ジョイント部４とジョイント受部５と、螺子部材６から構成されている（図６参照）。第１実施形態（第２乃至第４実施形態も含む）では、通常は前記ジョイント部４は、鋼材製であり、ジョイント受部５は、アルミニウム材とするものである。しかし、前記ジョイント部４とジョイント受部５の材質を鋼材製及びアルミニウム材にするかは、特に限定されるものではなく、使用環境等に合わせて種々の材質が使用されてもかまわない。前記ジョイント部４は、球体部４１，首部４２，鍔部４３及び接合部４４とからなる。前記球体部４１は、略真球形状に形成されており、前記首部４２は略円筒軸形状に形成されている。前記球体部４１の直径は、前記首部４２の軸直径よりも大きく形成されたものである。鍔部４３は、前記首部４２の軸直径よりも大きく形成されている。前記接合部４４は、外螺子４４ａが形成されており、前記ホルダ３の連結用突起部３２に形成された内螺子３２ａに螺合固着される。或いは、前記アーム２の揺動自由端部２２側の前面２ｅに固着されるようになっている。
【００１４】
前記ジョイント受部５は図５に示すように、水平方向に沿って溝形状のスリット部５１が形成され、該スリット部５１の上下両側に挟持片５２，５２が形成される。ジョイント受部５には球体収納部５３が形成されている。さらに球体収納部５３に連通する球体導入部５４が形成されている。球体導入部５４には、内螺子５４ａが形成されている。該球体導入部５４に連通するようにして首部導入部５５が形成されている。螺子部材６が装着される箇所である。螺子部材６には、本体６１の上端にドライバ用の溝６２が形成され、前記本体６１の外周には外螺子６１ａが形成されている。
【００１５】
前記ジョイント受部５は、前記アーム２の揺動自由端部２２側に形成されており、前記ジョイント部４はホルダ３の連結用突起部３２に形成されている。前記ジョイント受部５のスリット部５１は、前記揺動自由端部２２側において両側面２ｂ，２ｂ間に亘って水平方向に形成されたものである。アームベース１を介して、家具扉に装着した状態において、スリット部５１は常時外方側となる側面２ａに形成されたものである。前記球体導入部５４は、揺動自由端部２２の下面２ｃ側から垂直方向に沿って形成され、前記球体収納部５３は、揺動自由端部２２の略上方位置が終端となるようにして形成されている。
【００１６】
前記球体収納部５３と球体導入部５４とは連通されている。該球体導入部５４に隣接して首部導入部５５が形成されており、該首部導入部５５は前記球体導入部５４に連通している。前記球体導入部５４及び首部導入部５５から、前記ジョイント部４の球体部４１及び首部４２が遊挿され、前記球体部４１が前記球体収納部５３に導入される。前記首部４２は、前記首部導入部５５に沿って移動し、該首部導入部５５の終端部付近で前記スリット部５１に連通して、前記首部４２が前記球体部４１を回動中心として水平方向に回動自在となっている。
【００１７】
前記球体収納部５３は、略円筒形状の空隙として形成され、前記ジョイント部４の球体部４１が収納されるものであり、前記球体収納部５３の内径は、球体部４１の直径よりも僅かに大きく形成され、該球体部４１が球体収納部５３内で回動自在となるように設置される。前記スリット部５１は、前記首部４２が遊挿される構造となっており、球体収納部５３に配置された球体部４１を回動中心として前記スリット部５１内を首部４２が移動する構成となっている。前記球体導入部５４の内螺子５４ａに螺子部材６の外螺子６１ａが螺合され、後述する球体受部材７と共に螺子部材６を締め付けることにより、前記球体部４１を押圧固定することができる。  
【００１８】
前記球体収納部５３の終端面５３ａと前記球体部４１との間には、球体受部材７が配置されている。さらに、前記螺子部材６と前記球体部４１との間にも球体受部材７が配置されている。前記球体受部材７は、合成樹脂からなる合成樹脂部材７１が使用される〔図６（Ａ）参照〕。合成樹脂部材７１とした場合には、ジョイント部４及びジョイント受部５が共に金属製とした場合に、合成樹脂部材７１とした球体受部材７によって、金属材同士の擦れ合いを防止することができる。これによって、一方を鋼材とし、他方をアルミニウム材とした場合等のように、硬さの異なる金属材とした場合に一方がすり減ってしまうという不都合を防止することができる。また、ジョイント受部５と球体部４１及び螺子部材６と球体部４１の相互の滑りが良好なものとなり、ジョイント受部５に対するジョイント部４の揺動及び回動のそれぞれの動作を極めて良好にすることができる。
【００１９】
本発明の第２実施形態では、前記球体受部材７として、コイルスプリング７２が使用されたものである。この実施形態では、前記球体収納部５３の終端面５３ａと前記球体部４１との間、及び前記螺子部材６と前記球体部４１との間に前記球体受部材７が配置される。さらに、本発明の第３実施形態では、前記螺子部材６は、合成樹脂にて形成されることもある。この実施形態では、硬質な合成樹脂として、十分な強度を有することが必要であるが、合成樹脂は、金属よりも軟質であるために、螺子部材６と球体部４１との間には球体受部材７は、装着されなくてもかまわない。すなわち、合成樹脂とした螺子部材６によって、球体受部材７の役目が兼用されるものである。
【００２０】
本発明の第４実施形態としては、前記連結機構部Ａにおいて、ジョイント部４が前記ホルダ３側に形成され、ジョイント受部５が前記アーム２側に形成されたものである。この実施形態においても、前記ジョイント部４及びジョイント受部５の構成は第１実施形態の構成と同一である。また第１乃至第４実施形態において、前記アーム２の揺動自由端部２２箇所の前面２ｅには首部導入部５５による開口部が存在するため、この開口部を塞ぐカバー材９が装着されている。該カバー材９は、必ずしも装着される必要はない。
【００２１】
本発明では、家具８の家具扉８１の裏面側にアーム支持片１２装着されるものであり、アーム２の一方側の側面２ｂが家具扉８１の裏面側に接触又は近接する状態で折り畳まれている。そして、まず家具扉８１を開いて、前記アーム２を前記アームベース１を回動中心として開き、家具扉の開閉自由端側よりも外方に突出するように設け、そのアーム２から、ホルダ３を家具扉の外方に開くようにして使用する。
【００２２】
ホルダ３には、鏡板３３が装着されており、ホルダ３の一方の面に平面鏡３３ａが装着され、他方の面には凹面に形成された拡大鏡３３ｂが装着されたものであり、ホルダ３を前記球体部４１を介して垂直面上を回動させることで、平面鏡３３ａ又は拡大鏡３３ｂのいずれかを選択することができる。本発明の第２実施形態としては、前記連結機構部Ａにおいて、ジョイント部４が前記ホルダ３側に形成され、ジョイント受部５が前記アーム２側に形成されたものである。この実施形態においても、前記ジョイント部４及びジョイント受部５の構成は第１実施形態の構成と同一である。
【００２３】
本発明では、連結機構部Ａは、ジョイント部４とジョイント受部５とから構成されたものである。ジョイント部４は、球体部４１と首部４２とを備え、前記球体部４１がジョイント受部５の球体収納部５３に回動自在に収納され、螺子部材６及び球体受部材７によって、回動自在に支持されている。ジョイント部４は、前記球体部４１を回動中心にして垂直面及び水平面を回動することができると共に、合成樹脂等により形成された前記球体受部材７が前記球体部４１に直接接触するので、ジョイント部４の揺動及び回動動作を極めて円滑に行わせることができる。したがって、ジョイント部４の回動及び揺動動作のみにより、前記ホルダ３は水平面及び垂直面上を回動することができる。すなわち、ジョイント部４の１軸のみでホルダ３は、水平面及び垂直面上を回動及び移動することができる（図４参照）。
【図面の簡単な説明】
【００２４】
【図１】（Ａ）は本発明において家具用扉に折り畳まれた状態の斜視図、（Ｂ）は本発明において家具用扉に拡げた状態の斜視図である。
【図２】（Ａ）は本発明の第１実施形態を装着した状態の正面図、（Ｂ）はホルダの横断平面図、（Ｃ）は本発明の第４実施形態を装着した状態の正面図である。
【図３】（Ａ）は本発明において家具用扉を閉じた状態の略示図、（Ｂ）は本発明において家具用扉を開いてアームを拡げた状態の略示図、（Ｃ）は本発明においてホルダを拡げた状態の略示図である。
【図４】（Ａ）は本発明の第１実施形態における連結機構部の拡大斜視図、（Ｂ）はホルダを垂直状態にした要部斜視図、（Ｃ）はホルダを水平状態にした要部斜視図である。
【図５】（Ａ）は本発明の第１実施形態におけるアーム側に形成されたジョイント受部の側面図、（Ｂ）は（Ａ）のＸａ−Ｘａ矢視断面図、（Ｃ）は（Ｂ）のＸｂ−Ｘｂ矢視断面図である。
【図６】（Ａ）は本発明の第１実施形態における連結機構部の裏面図、（Ｂ）はジョイント受部の分解断面図である。
【図７】（Ａ）は本発明の第１実施形態におけるジョイント受部の側面図、（Ｂ）はジョイント受部の正面図、（Ｃ）は（Ｂ）のＸｃ−Ｘｃ矢視断面図、（Ｄ）は（Ｃ）のＸｄ−Ｘｄ矢視断面図、（Ｅ）は（Ｃ）のＸｅ−Ｘｅ矢視断面図である。
【図８】（Ａ）は本発明の第２実施形態における連結機構部の縦断側面図、（Ｂ）は連結機構部の分解した縦断側面図である。
【図９】（Ａ）は本発明の第３実施形態における連結機構部の縦断側面図、（Ｂ）は連結機構部の分解した縦断側面図である。
【符号の説明】
【００２５】
１…アームベース、２…アーム、３…ホルダ、Ａ…連結機構部、４…ジョイント部、
４1…球体部、４２…首部、５…ジョイント受部、５１…スリット部、
５３…球体収納部、６…螺子部材、７…球体受部材。
【図１】
2009273811.tif 000003
【図２】
2009273811.tif 000004
【図３】
2009273811.tif 000005
【図４】
2009273811.tif 000006
【図５】
2009273811.tif 000007
【図６】
2009273811.tif 000008
【図７】
2009273811.tif 000009
【図８】
2009273811.tif 000010
【図９】
2009273811.tif 000011